(57)【特許請求の範囲】
【請求項１】
照射された放射線量に応じた放射線画像を示す画像信号を出力する第１放射線撮像層と、前記第１放射線撮像層により出力された画像信号に対する信号処理を行う第１制御基板と、前記第１放射線撮像層と前記第１制御基板とが内部に配置される第１筐体と、が設けられた第１可搬型放射線撮影装置と、
照射された放射線量に応じた放射線画像を示す画像信号を出力する第２放射線撮像層と、前記第２放射線撮像層により出力された画像信号に対する信号処理を行う第２制御基板と、端側が前記第１筐体の端側に重ねられると共に前記第２放射線撮像層と前記第２制御基板とが内部に配置される第２筐体と、が設けられた第２可搬型放射線撮影装置と、を備え、
前記第１筐体と前記第２筐体とが重ねられる重ね部において、放射線の照射方向から見て、前記第２制御基板が前記第１放射線撮像層に重ならないように配置される可搬型放射線撮影装置セット。
【請求項２】
前記重ね部には、放射線の照射方向から見て、第２制御基板が配置されない請求項１に記載の可搬型放射線撮影装置セット。
【請求項３】
前記第２放射線撮像層は、放射線の照射方向から見て、前記重ね部の端部まで設けられる請求項１又は２に記載の可搬型放射線撮影装置セット。
【請求項４】
照射された放射線量に応じた放射線画像を示す画像信号を出力する放射線撮像層と、
前記放射線撮像層が内部に配置される筐体と、を備え、
放射線の照射方向から見て、前記筐体の少なくとも一辺の端部から前記放射線撮像層以外の部材が配置されない範囲が設けられる可搬型放射線撮影装置。
【請求項５】
照射された放射線量に応じた放射線画像を示す画像信号を出力する放射線撮像層と、
前記放射線撮像層により出力された前記画像信号に対する信号処理を行う制御基板と、
前記放射線撮像層と前記制御基板とが内部に配置される筐体と、を備え、
放射線の照射方向から見て、前記筐体の少なくとも一辺の端部から前記放射線撮像層以外の部材である前記制御基板が配置されない範囲が設けられる可搬型放射線撮影装置。
【請求項６】
前記筐体の少なくとも一辺の端部から前記放射線撮像層以外の部材が配置されない範囲は、一辺の端部から２ｃｍである請求項４又は５に記載の可搬型放射線撮影装置。
【請求項７】
前記放射線撮像層は、放射線の照射方向から見て、前記筐体の少なくとも一辺の端部から前記放射線撮像層以外の部材が配置されない範囲において、前記筐体の端部まで設けられる請求項４〜６の何れか１項に記載の可搬型放射線撮影装置。
【発明の詳細な説明】
【技術分野】
【０００１】
本発明は、可搬型放射線撮影装置セット、及び可搬型放射線撮影装置に関する。
【背景技術】
【０００２】
特許文献１には、放射線エネルギーを蓄積する輝尽性蛍光体シートを備える医療用カセッテ（ＣＲカセッテ）が記載されている。そして、このＣＲカセッテでは、カセッテ筐体の端部まで撮影可能とするため、筐体内部に配置される画像記録媒体の端部を、筐体の内壁に接するように配置している。
【０００３】
そして、このＣＲカセッテを複数枚並べて撮影することで、長尺画像を得るようになっている。
【先行技術文献】
【特許文献】
【０００４】
【特許文献１】特開２０１０−３９２６７号公報
【発明の概要】
【発明が解決しようとする課題】
【０００５】
しかし、照射された放射線量に応じた放射線画像を出力する放射線撮像層と、この放射線撮像層により出力された画像の信号処理を行う制御基板とを備える可搬型放射線撮影装置（所謂電子カセッテ）は、ＣＲカセッテと構成が相違する。
【０００６】
本発明の課題は、複数枚の可搬型放射線撮影装置を並べて撮影することで、継ぎ目に画像欠落がない長尺画像を得ることである。
【課題を解決するための手段】
【０００７】
本発明の請求項１に係る可搬型放射線撮影装置セットは、照射された放射線量に応じた放射線画像を示す画像信号を出力する第１放射線撮像層と、前記第１放射線撮像層により出力された画像信号に対する信号処理を行う第１制御基板と、前記第１放射線撮像層と前記第１制御基板とが内部に配置される第１筐体と、が設けられた第１可搬型放射線撮影装置と、照射された放射線量に応じた放射線画像を示す画像信号を出力する第２放射線撮像層と、前記第２放射線撮像層により出力された画像信号に対する信号処理を行う第２制御基板と、端側が前記第１筐体の端側に重ねられると共に前記第２放射線撮像層と前記第２制御基板とが内部に配置される第２筐体と、が設けられた第２可搬型放射線撮影装置と、を備え、前記第１筐体と前記第２筐体とが重ねられる重ね部において、放射線の照射方向から見て、前記第２制御基板が前記第１放射線撮像層に重ならないように配置されることを特徴とする。
【０００８】
上記構成によれば、第１可搬型放射線撮影装置に設けられた第１筐体の内部には、照射された放射線量に応じた放射線画像を示す画像信号を出力する第１放射線撮像層と、この第１放射線撮像層により出力された画像信号に対する信号処理を行う第１制御基板とが配置されている。
【０００９】
また、第２可搬型放射線撮影装置に設けられた第２筐体の内部には、照射された放射線量に応じた放射線画像を示す画像信号を出力する第２放射線撮像層と、この第２放射線撮像層により出力された画像信号に対する信号処理を行う第２制御基板とが配置されている。
【００１０】
さらに、第２筐体の端側が第１筐体の端側に重ねられる重ね部においては、放射線の照射方向から見て、第２制御基板が第１放射線撮像層に重ならないように配置される。
【００１１】
このように、第２制御基板を第１放射線撮像層に重ならないように配置することで、重ね部において照射された放射線は第１放射線撮像層に到達し、第１放射線撮像層は、照射された放射線量に応じた放射線画像を示す画像信号を出力する。
【００１２】
これにより、第１可搬型放射線撮影装置と第２可搬型放射線撮影装置とを並べて撮影することで、継ぎ目に画像欠落がない長尺画像を得ることができる。
【００１３】
本発明の請求項２に係る可搬型放射線撮影装置セットは、請求項１に記載において、前記重ね部には、放射線の照射方向から見て、第２制御基板が配置されないことを特徴とする。
【００１４】
上記構成によれば、重ね部には、放射線の照射方向から見て、第２制御基板が配置されない。このため、撮影時に、第１可搬型放射線撮影装置と第２可搬型放射線撮影装置との配置位置がばらついた場合でも、第２制御基板が第１放射線撮像層に重ならことがない。そして、重ね部において照射された放射線は第１放射線撮像層に到達し、第１放射線撮像層は、照射された放射線量に応じた放射線画像を示す画像信号を出力する。
【００１５】
これにより、第１可搬型放射線撮影装置と第２可搬型放射線撮影装置とを並べて撮影することで、確実に継ぎ目に画像欠落がない長尺画像を得ることができる。
【００１６】
本発明の請求項３に係る可搬型放射線撮影装置セットは、請求項１又は２に記載において、前記第２放射線撮像層は、放射線の照射方向から見て、前記重ね部の端部まで設けられることを特徴とする。
【００１７】
上記構成によれば、第２放射線撮像層は、放射線の照射方向から見て、重ね部の端部まで設けられている。これにより、第１可搬型放射線撮影装置と第２可搬型放射線撮影装置との重ね部の重ね量を少なくすることができる。
【００１８】
本発明の請求項４に係る可搬型放射線撮影装置は、照射された放射線量に応じた放射線画像を示す画像信号を出力する放射線撮像層と、前記放射線撮像層が内部に配置される筐体と、を備え、放射線の照射方向から見て、前記筐体の少なくとも一辺の端部から前記放射線撮像層以外の部材が配置されない範囲が設けられることを特徴とする。
【００１９】
上記構成によれば、可搬型放射線撮影装置の筐体の内部には、照射された放射線量に応じた放射線画像を示す画像信号を出力する放射線撮像層が配置されている。そして、放射線の照射方向から見て、筐体の少なくとも一辺の端部から放射線撮像層以外の部材が配置されない範囲が設けられている。
【００２０】
つまり、この放射線撮像層以外の部材が配置されていない範囲を他の可搬型放射線撮影装置の端側と重ねることで、重ね部において照射された放射線は他の可搬型放射線撮影装置の放射線撮像層に到達する。そして、この放射線撮像層が、照射された放射線量に応じた放射線画像を示す画像信号を出力する。
【００２１】
これにより、複数枚の可搬型放射線撮影装置を並べて撮影することで、継ぎ目に画像欠落がない長尺画像を得ることができる。
【００２２】
本発明の請求項５に係る可搬型放射線撮影装置は、照射された放射線量に応じた放射線画像を示す画像信号を出力する放射線撮像層と、前記放射線撮像層により出力された前記画像信号に対する信号処理を行う制御基板と、前記放射線撮像層と前記制御基板とが内部に配置される筐体と、を備え、放射線の照射方向から見て、前記筐体の少なくとも一辺の端部から前記放射線撮像層以外の部材である前記制御基板が配置されない範囲が設けられることを特徴とする。
【００２３】
上記構成によれば、可搬型放射線撮影装置の筐体の内部には、照射された放射線量に応じた放射線画像を示す画像信号を出力する放射線撮像層と、この放射線撮像層により出力された画像信号に対する信号処理を行う制御基板とが配置されている。
【００２４】
そして、放射線の照射方向から見て、筐体の少なくとも一辺の端部から放射線撮像層以外の部材である制御基板が配置されない範囲が設けられている。
【００２５】
つまり、この制御基板が配置されていない範囲を他の可搬型放射線撮影装置の端側と重ねることで、重ね部において照射された放射線は他の可搬型放射線撮影装置の放射線撮像層に到達する。そして、この放射線撮像層が、照射された放射線量に応じた放射線画像を示す画像信号を出力する。
【００２６】
これにより、複数枚の可搬型放射線撮影装置を並べて撮影することで、継ぎ目に画像欠落がない長尺画像を得ることができる。
【００２７】
本発明の請求項６に係る可搬型放射線撮影装置は、請求項４又は５に記載において、前記筐体の少なくとも一辺の端部から前記放射線撮像層以外の部材が配置されない範囲は、一辺の端部から２ｃｍであることを特徴とする。
【００２８】
上記構成によれば、筐体の少なくとも一辺の端部から放射線撮像層以外の部材が配置されない範囲は、筐体の少なくとも一辺の端部から２ｃｍである。これにより、端部から２ｃｍの範囲で他の可搬型放射線撮影装置の端側と重ねることで、継ぎ目に画像欠落がない長尺画像を得ることができる。
【００２９】
本発明の請求項７に係る可搬型放射線撮影装置は、請求項４〜６の何れか１項に記載において、前記放射線撮像層は、放射線の照射方向から見て、前記筐体の少なくとも一辺の端部から前記放射線撮像層以外の部材が配置されない範囲において、前記筐体の端部まで設けられることを特徴とする。
【００３０】
上記構成によれば、放射線撮像層は、放射線の照射方向から見て、筐体の少なくとも一辺の端部から放射線撮像層以外の部材が配置されない範囲において、筐体の端部まで設けられている。これにより、可搬型放射線撮影装置とこれに重ねられる他の可搬型放射線撮影装置との重ね部の重ね量を少なくすることができる。
【発明の効果】
【００３１】
本発明によれば、複数枚の可搬型放射線撮影装置を並べて撮影することで、継ぎ目に画像欠落がない長尺画像を得ることができる。
【図面の簡単な説明】
【００３２】
【図１】本発明の第１実施形態に係る可搬型放射線撮影装置セット及び可搬型放射線撮影装置を示した断面図である。
【図２】本発明の第１実施形態に係る可搬型放射線撮影装置を示した断面図である。
【図３】本発明の第１実施形態に係る可搬型放射線撮影装置セット等を示した側面図である。
【図４】本発明の第１実施形態に係る可搬型放射線撮影装置を示した平面図である。
【図５】（Ａ）（Ｂ）本発明の第１実施形態に係る可搬型放射線撮影装置セット及び可搬型放射線撮影装置によって撮影された長尺画像と比較例としての長尺画像とを示した概念図である。
【図６】本発明の第１実施形態に係る可搬型放射線撮影装置を示した回路図である。
【図７】本発明の第１実施形態に係る可搬型放射線撮影装置を示した平面図である。
【図８】本発明の第２実施形態に係る可搬型放射線撮影装置セット及び可搬型放射線撮影装置を示した断面図である。
【図９】本発明の第３実施形態に係る可搬型放射線撮影装置セット及び可搬型放射線撮影装置を示した断面図である。
【発明を実施するための形態】
【００３３】
本発明の第１実施形態に係る可搬型放射線撮影装置セット、及び可搬型放射線撮影装置の一例について図１〜図７に従って説明する。なお、図中の矢印ＵＰは、鉛直方向上方を示す。
【００３４】
（全体構成）
図３に示されるように、可搬型放射線撮影装置セット６４は、第１可搬型放射線撮影装置１０Ａ（所謂電子カセット）と、第２可搬型放射線撮影装置１０Ｂと、第３可搬型放射線撮影装置１０Ｃとを含んで構成されている。
【００３５】
なお、第１可搬型放射線撮影装置１０Ａ、第２可搬型放射線撮影装置１０Ｂ及び第３可搬型放射線撮影装置１０Ｃについては、基本構成が同一であるため、特に区別しない場合は、可搬型放射線撮影装置１０として記載して先頭の第１、第２、第３及び符号末尾のアルファベットを省略して説明する。各可搬型放射線撮影装置１０を構成する構成部品についても同様とする。
【００３６】
図６に示されるように、可搬型放射線撮影装置１０（所謂電子カセッテ）の筐体１８の内部には、放射線撮像層１２が設けられている。この放射線撮像層１２は、上部電極と半導体層と下部電極を備えた放射線撮像素子１３と後述するシンチレータ３０とを備えており、放射線撮像素子１３には、光を受けて電荷を蓄積するセンサ部１４と、センサ部１４に蓄積された電荷を読み出すためのＴＦＴスイッチ１６と、を含んで構成される画素２０が２次元状に多数設けられている。
【００３７】
また、放射線撮像素子１３には、前述したＴＦＴスイッチ１６をＯＮ／ＯＦＦするための複数の走査配線２２と、センサ部１４に蓄積された電荷を読み出すための複数の信号配線２４と、が互いに交差して設けられている。
【００３８】
さらに、放射線撮像素子１３の表面には、ＧＯＳ又はＣｓＩ等からなるシンチレータ３０（図２、図７参照）が貼り付けられている。シンチレータ３０は、発生した光の外部への漏れだしを防止するため、貼り付けられた放射線撮像素子１３に対する反対側の面に発生した光を遮光する遮光体３１（図２参照）を有している。
【００３９】
そして、放射線撮像層１２では、照射されたＸ線などの放射線はシンチレータ３０で光に変換され、センサ部１４に照射される。センサ部１４は、シンチレータ３０から照射された光を受けて電荷を蓄積するようになっている。
【００４０】
さらに、各信号配線２４には、信号配線２４に接続された何れかのＴＦＴスイッチ１６がＯＮされることによりセンサ部１４に蓄積された電荷量に応じて放射線画像を示す電気信号（画像信号）が流れるようになっている。
【００４１】
また、放射線撮像素子１３の信号配線方向の一端側には、結線用のコネクタ３２が複数個並んで設けられ、走査配線方向の一端側には、コネクタ３４が複数個並んで設けられている。そして、各信号配線２４はコネクタ３２に接続され、各走査配線２２はコネクタ３４に接続されている。
【００４２】
さらに、本実施の形態では、放射線撮像層１２による放射線検出の制御、及び各信号配線２４に流れる電気信号に対する信号処理の制御を行う制御部３６が設けられ、制御部３６は、信号検出回路４２と、スキャン信号制御回路４０と、を備えている。
【００４３】
また、信号検出回路４２には、複数個のコネクタ４６が設けられており、このコネクタ４６には、フレキシブルケーブル４４の一端が電気的に接続されている。さらに、このフレキシブルケーブル４４の他端は、コネクタ３２に接続されており、信号配線２４毎に、入力される電気信号を増幅する増幅回路を内蔵している。この構成により、信号検出回路４２は、各信号配線２４より入力される電気信号を増幅回路により増幅して検出することで、画像を構成する各画素２０の情報として、各センサ部１４に蓄積された電荷量を検出するようになっている。
【００４４】
一方、スキャン信号制御回路４０には、コネクタ４８が設けられており、このコネクタ４８には、フレキシブルケーブル５２の一端が電気的に接続されている。さらに、このフレキシブルケーブル５２の他端は、コネクタ３４に接続されており、スキャン信号制御回路４０は各走査配線２２にＴＦＴスイッチ１６をＯＮ／ＯＦＦするための制御信号を出力するようになっている。
【００４５】
また、図２に示されるように、本実施の形態に係る可搬型放射線撮影装置１０は、照射された放射線により表わされる放射線画像を撮影する撮影部６０を有している。この撮影部６０には、平板状に形成された制御基板６２の一方の面に放射線撮像層１２が配置され、制御基板６２の他方の面に放射線撮像層１２に対応する信号検出回路４２及びスキャン信号制御回路４０が配置されている。
【００４６】
（要部構成）
次に、可搬型放射線撮影装置１０に設けられた放射線撮像層１２及び制御基板６２の配置位置等について説明する。
【００４７】
図２に示されるように、線源７０（図３参照）から照射される放射線の照射方向（図中矢印方向）から見て、筐体１８の一辺１９の内壁端部から予め決められた範囲Ｘには、放射線撮像層１２以外の部材が配置されていない。つまり、範囲Ｘには、制御基板６２が配置されていない。
【００４８】
また、図１、図３に示されるように、可搬型放射線撮影装置セット６４を用いて長尺状の撮影を行う場合には、第１可搬型放射線撮影装置１０Ａの第１筐体１８Ａの下端側の表面側（放射線の入射側）に、第２可搬型放射線撮影装置１０Ｂの第２筐体１８Ｂの上端側が重ねられるようになっている。さらに、第２可搬型放射線撮影装置１０Ｂの第１筐体１８Ｂの下端側の表面側（放射線の入射側）に、第３可搬型放射線撮影装置１０Ｃの第３筐体１８Ｃの上端側が重ねられるようになっている。
【００４９】
図１に示されるように、第１可搬型放射線撮影装置１０Ａと第２可搬型放射線撮影装置１０Ｂとが重ねられた状態で、放射線の照射方向から見て、第１筐体１８Ａと第２筐体１８Ｂとが重ねられる重ね部５４において、第２制御基板６２Ｂが第１放射線撮像層１２Ａに重ならないように、第１筐体１８Ａと第２筐体１８Ｂとが重ねられている。
【００５０】
同様に、第２可搬型放射線撮影装置１０Ｂと第３可搬型放射線撮影装置１０Ｃとが重ねられた状態で、放射線の照射方向から見て、第２筐体１８Ｂと第３筐体１８Ｃとが重ねられる重ね部５６において、第３制御基板６２Ｃが第２放射線撮像層１２Ｂに重ならないように、第１２筐体１８Ｂと第３筐体１８Ｃとが重ねられている。
【００５１】
また、本実施形態では、重ね部５４及び重ね部５６の鉛直方向における、第１放射線撮像層１２Ａと第２放射線撮像層１２Ｂとの重ね量（図中Ｙ）、及び第２放射線撮像層１２Ｂと第３放射線撮像層１２Ｃとの重ね量（図中Ｙ）は、２ｃｍとされるように、各可搬型放射線撮影装置１０が配置されている。
【００５２】
さらに、図４に示されるように、各可搬型放射線撮影装置１０の四隅には、円状のマーク５８が設けられており、このマーク５８を目視しながら各可搬型放射線撮影装置１０を並べることで、所定の位置に各可搬型放射線撮影装置１０が配置されるようになっている。
【００５３】
（作用・効果）
次に、可搬型放射線撮影装置１０、可搬型放射線撮影装置セット６４を用いて長尺撮影をする場合等について説明する。
【００５４】
図１、図３に示されるように、可搬型放射線撮影装置セット６４に設けられた各可搬型放射線撮影装置１０の端側を重ねて鉛直方向に延びるように可搬型放射線撮影装置１０を並べて配置する。このときの線源７０と可搬型放射線撮影装置セット６４との間は、被写体７２が位置するための撮影位置とされる。そして、放射線画像の撮影が指示されると、線源７０は予め与えられた撮影条件等に応じた放射線量の放射線を射出する。線源７０から射出された放射線は、撮影位置に位置している被写体７２を透過することで画像情報を担持した後に各可搬型放射線撮影装置１０に照射される。
【００５５】
図２に示されるように、放射線撮像層１２では、照射されたＸ線などの放射線はシンチレータ３０で光に変換され、放射線撮像素子１３のセンサ部１４（図６参照）に照射される。センサ部１４は、シンチレータ３０から照射された光を受けて電荷を蓄積する。
【００５６】
図６に示されるように、画像読出時には、スキャン信号制御回路４０から放射線撮像素子１３のＴＦＴスイッチ１６のゲート電極に走査配線２２を介して順次ＯＮ信号（＋１０〜２０Ｖ）が印加される。これにより、放射線撮像素子１３のＴＦＴスイッチ１６が順次ＯＮされることによりセンサ部１４に蓄積された電荷量に応じた電気信号が信号配線２４に流れ出す。信号検出回路４２は、放射線撮像素子１３の信号配線２４に流れ出した電気信号に基づいて各センサ部１４に蓄積された電荷量を、画像を構成する各画素２０の情報として検出する。これにより、放射線撮像層１２に照射された放射線により示される画像を示す画像情報を得る。
【００５７】
次に、重ね部５４及び重ね部５６についての画像情報について説明する。
【００５８】
図１に示されるように、重ね部５４においては、放射線の照射方向から見て、鉛直方向で２ｃｍに亘り、第１放射線撮像層１２Ａと第２放射線撮像層１２Ｂとが重なっている。そして、第２制御基板６２は、第１放射線撮像層１２Ａに重ならないように配置されている。
【００５９】
これにより、第１放射線撮像層１２Ａと第２放射線撮像層１２Ｂとが重なった部位に照射された放射線は、第１放射線撮像層１２Ａにより画像情報が得られる。さらに、この放射線は、第１放射線撮像層１２Ａを透過して第２放射線撮像層１２Ｂまで到達するため、第２放射線撮像層１２Ｂによっても画像情報が得られる。
【００６０】
このように、第１放射線撮像層１２Ａ及び第２放射線撮像層１２Ｂから画像情報を得てこの２つの画像情報を合成することで、重ね部５４の画像を得る。なお、重ね部５６においても同様に２つの画像情報を合成することで画像が得られる。
【００６１】
つまり、図５（Ａ）に示されるように、継ぎ目に画像欠落（図５（Ｂ）示すような画像欠落）がない長尺画像が得えられる。
【００６２】
以上説明したように、重ね部５４においては、放射線の照射方向から見て、第２制御基板６２Ｂが第１放射線撮像層１２Ａに重ならないように配置され、重ね部５６においては、放射線の照射方向から見て、第３制御基板６２Ｃが第２放射線撮像層１２Ｂに重ならないように配置されている。これにより、複数枚の可搬型放射線撮影装置１０を並べて撮影することで、継ぎ目に画像欠落がない長尺画像を得ることができる。
【００６３】
また、図２に示されるように、筐体１８の一辺１９の内壁端部から予め決められた範囲Ｘには、放射線撮像層１２以外の部材が配置されていない。つまり、範囲Ｘには、制御基板６２が配置されていない。これにより、例えば、範囲Ｘを他の可搬型放射線撮影装置の端側と重ねることで、重ね部において照射された放射線は他の可搬型放射線撮影装置の放射線撮像層に到達し、この放射線撮像層は、照射された放射線量に応じた放射線画像を示す画像信号を出力する。これにより、継ぎ目に画像欠落がない長尺画像を得ることができる。
【００６４】
次ぎに、本発明の第２実施形態に係る可搬型放射線撮影装置セット８４及び可搬型放射線撮影装置８０の一例について図８に従って説明する。なお、第１実施形態と同一部材については、同一符号を付してその説明を省略する。
【００６５】
図８に示されるように、第１実施形態と違い、第１可搬型放射線撮影装置８０Ａと第２可搬型放射線撮影装置８０Ｂとが重ねられた状態で、放射線の照射方向から見て、第１筐体８８Ａと第２筐体８８Ｂとが重ねられる重ね部５４には、第２制御基板８２Ｂが配置されていない。
【００６６】
このように重ね部５４に第２制御基板８２Ｂを配置しないことで、撮影時に、第１可搬型放射線撮影装置８０Ａと第２可搬型放射線撮影装置８０Ｂとの位置関係がばらついた場合でも、重ね部５４において照射された放射線は第１放射線撮像層８６Ａに到達する。これにより、第１放射線撮像層８６Ａは、照射された放射線量に応じた放射線画像を示す画像信号を出力する。
【００６７】
これにより、複数枚の可搬型放射線撮影装置８０を並べて撮影することで、確実に継ぎ目に画像欠落がない長尺画像を得ることができる。
【００６８】
次ぎに、本発明の第３実施形態に係る可搬型放射線撮影装置セット９４及び可搬型放射線撮影装置９０の一例について図９に従って説明する。なお、第１実施形態と同一部材については、同一符号を付してその説明を省略する。
【００６９】
図９に示されるように、第２放射線撮像層９６Ｂは、放射線の照射方向から見て、重ね部５４の端部まで設けられており、筐体９８Ｂの一辺９９Ｂの内壁端部から２ｃｍの範囲Ｘ（予め決められた範囲Ｘ）には、放射線撮像層９６Ｂ以外の部材が配置されていない。つまり、範囲Ｘには、制御基板９２Ｂが配置されていない。
【００７０】
このように、第２放射線撮像層９６Ｂを重ね部５４の端部まで設けることで、第１可搬型放射線撮影装置９０Ａと第２可搬型放射線撮影装置９０Ｂとの重ね量を少なくすることができる。
【００７１】
また、放射線の照射方向から見て、幅２ｃｍの範囲で、第２放射線撮像層９６Ｂと第１放射線撮像９６Ａとが重ねられる。このため、この第２放射線撮像層９６Ｂ及び第１放射線撮像層９６Ａからの画像情報を合成することで、確実に継ぎ目に画像欠落がない長尺画像を得ることができる。
【００７２】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、重ね部の画像を得るために、第１放射線撮像層１２Ａ、８６Ａ、９６Ａ及び第２放射線撮像層１２Ｂ、８６Ｂ、９６Ｂからの画像情報を合成することで、重ね部５４の画像を得たが、特にこれに限定されることなく、重ね部の画像を第１放射線撮像層及び第２放射線撮像層のどちらか一方から得てもよい。重ね部５６についても同様である。
【００７３】
また、上記実施形態では、３個の可搬型放射線撮影装置を用いて説明したが、特に３個に限定されることなく、２個であってもよく、また、４個以上であってもよい。
【００７４】
また、上記実施形態では、放射線としてＸ線を用いて説明したが、特にこれに限定されるものではなく、γ線等であってもよい。
【００７５】
また、上記実施形態では、立位状態での長尺撮影に可搬型放射線撮影装置セット６４、８４、９４を用いたが、臥位状態での長尺撮影に可搬型放射線撮影装置セットを用いてもよい。この場合には、各可搬型放射線撮影装置を水平方向に延びるように配置することで、長尺撮影が可能となる。
【００７６】
また、上記第２、３実施形態では、第１実施形態との相違点について説明したが、本発明の趣旨を逸脱しない範囲で各実施形態を組み合わせてもよい。
【符号の説明】
【００７７】
１０Ａ        第１可搬型放射線撮影装置（可搬型放射線撮影装置）
１０Ｂ        第２可搬型放射線撮影装置（可搬型放射線撮影装置）
１０Ｃ        第３可搬型放射線撮影装置（可搬型放射線撮影装置）
１２Ａ        第１放射線撮像層（放射線撮像層）
１２Ｂ        第２放射線撮像層（放射線撮像層）
１２Ｃ        第３放射線撮像層（放射線撮像層）
１８Ａ        第１筐体（筐体）
１８Ｂ        第２筐体（筐体）
１８Ｃ        第３筐体（筐体）
１９          一辺
６２Ａ        第１制御基板（制御基板）
６２Ｂ        第２制御基板（制御基板）
６２Ｃ        第３制御基板（制御基板）
６４          可搬型放射線撮影装置セット
８０Ａ        第１可搬型放射線撮影装置（可搬型放射線撮影装置）
８０Ｂ        第２可搬型放射線撮影装置（可搬型放射線撮影装置）
８２Ａ        第２制御基板（制御基板）
８２Ｂ        第２制御基板（制御基板）
８４          可搬型放射線撮影装置セット
８６Ａ        第１放射線撮像層（放射線撮像層）
８６Ｂ        第２放射線撮像層（放射線撮像層）
８８Ａ        第１筐体（筐体）
８８Ｂ        第２筐体（筐体）
９０Ａ        第１可搬型放射線撮影装置（可搬型放射線撮影装置）
９０Ｂ        第２可搬型放射線撮影装置（可搬型放射線撮影装置）
９２Ａ        第１制御基板（制御基板）
９２Ｂ        第２制御基板（制御基板）
９４          可搬型放射線撮影装置セット
９６Ａ        第１放射線撮像層（放射線撮像層）
９６Ｂ        第２放射線撮像層（放射線撮像層）
９８Ａ        第１筐体（筐体）
９８Ｂ        第２筐体（筐体）
９９Ｂ        一辺
【図１】
0005642451.tif 000002
【図２】
0005642451.tif 000003
【図３】
0005642451.tif 000004
【図４】
0005642451.tif 000005
【図５】
0005642451.tif 000006
【図６】
0005642451.tif 000007
【図７】
0005642451.tif 000008
【図８】
0005642451.tif 000009
【図９】
0005642451.tif 000010